(57)【要約】【課題】フィルタを交換可能であり、交換が簡便であるという効果を備える手持ち型吐水装置を提供する。【解決手段】手持ち型吐水装置１０であって、第一通路１１１を有する管体として形成されるグリップ１１であり、グリップ１１は嵌着ホルダ１４が繋がっており、その内環面１４１には第一通路１１１に連通する入水穴１４２が設けられるグリップ１１と、スリット２２１を有する環状凹部２１１が環設されるとともに、フィルタ装置２０の底端にはスリット２２１に連通する複数の散水穴２５３が配置される、ろ過材２３を装着するフィルタ装置２０と、更に、フィルタ装置２０は嵌着ホルダ１４内に組付けるが、環状凹部２１１と嵌着ホルダ１４の内環面１４１との間には環状通路１４６が形成されており、環状通路１４６は入水穴１４２、第一通路１１１及びスリット２２１に連通することで、第一通路１１１から進入した水を散水穴２５３から散水するように吐出させる。【選択図】図１
2017209214.tif 000002
【特許請求の範囲】
【請求項１】
第一通路を有する管体として形成されるグリップであり、前記グリップは一端に円環状の嵌着ホルダが繋がっており、前記嵌着ホルダは内環面を有し、前記内環面には前記第一通路に連通する入水穴が設けられており、前記内環面の一端口には内部フランジが環設されており、その他端口には雌ねじ部分が環設されるグリップと、上方に雄ねじ部分が設けられ、前記雄ねじ部分の上方には上部止め縁が更に設けられる環状凹部が外周面に環設される円形体であるフィルタ装置と、を備える手持ち型吐水装置であって、更に、前記環状凹部下方には環状嵌着突起が環設されており、前記環状嵌着突起の底面は下部止め縁を有しており、前記環状嵌着突起の表面にはスリットが設けられるとともに、前記フィルタ装置の底端には前記スリットに連通する複数の散水穴が配置されており、前記フィルタ装置は前記嵌着ホルダ内に組付けるが、このうち、前記フィルタ装置の雄ねじ部分が前記嵌着ホルダの雌ねじ部分に螺合して、前記上部止め縁は前記嵌着ホルダの内環面端縁に当接して、前記環状嵌着突起の下部止め縁は内部フランジに当接するとともに、前記環状凹部と前記嵌着ホルダの内環面との間には環状通路が形成されており、前記環状通路は前記入水穴、第一通路及びスリットに連通することで、前記第一通路から進入した水を前記散水穴から散水するように吐出させることを特徴とする手持ち型吐水装置。
【請求項２】
前記フィルタ装置は収容空間を有する上蓋と下蓋とが互いに嵌合して構成され、前記環状凹部は前記上蓋の開口端に設けられており、前記環状嵌着突起は環前記下蓋の開口端に環設されており、前記上蓋の環状凹部端縁は前記下蓋の環状嵌着突起内に嵌入されるとともに、前記収容空間内にろ過材を装着することを特徴とする請求項１に記載の手持ち型吐水装置。
【請求項３】
前記上蓋と下蓋との間にはろ過網が設けられており、前記ろ過網は前記上蓋の開口端に組付けられて前記収容空間を閉じることで、前記ろ過材を前記収容空間内に規制することを特徴とする請求項２に記載の手持ち型吐水装置。
【請求項４】
前記上、下蓋が透明なプラスチック材料製であることを特徴とする請求項２又は３のうちいずれか一項に記載の手持ち型吐水装置。
【請求項５】
前記グリップの一端には、前記第一通路及び入水穴を連通する第二通路を有するネック部分が設けられることを特徴とする請求項１に記載の手持ち型吐水装置。
【請求項６】
前記雌ねじ部分に近接する内環面の端縁には嵌合溝が環設されており、前記嵌合溝内には第一パッキンが設けられており、前記上部止め縁は第一パッキン、嵌合溝に当接して、前記内部フランジと前記環状嵌着突起前記下部止め縁との間には第二パッキンが設けられることを特徴とする請求項１に記載の手持ち型吐水装置。
【請求項７】
前記環状凹部にはプラグを装着可能な貫通穴が設けられており、前記貫通穴の周囲には穴縁が形成されており、前記プラグは嵌合リングが一体成型されたストレーナを有するように設けられており、前記嵌合リングは前記貫通穴の穴縁内に嵌設して、前記スリットを形成することを特徴とする請求項１に記載の手持ち型吐水装置。
【請求項８】
前記穴縁は外側から内側に徐々に縮小する円錐状穴として設けられ、前記嵌合リングの外周縁には前記円錐状穴に対応する傾斜錐面が設けられることを特徴とする請求項７に記載の手持ち型吐水装置。
【発明の詳細な説明】
【技術分野】
【０００１】
本発明は手持ち型吐水装置に関し、とりわけフィルタを交換可能であるとともに、交換が簡便であるという効果を備える手持ち型吐水装置に関する。
【背景技術】
【０００２】
一般的に市販、使用される手持ち型吐水装置では、例えば、シャワーヘッドは主にプラスチック部材を組み合わせてなり、先端が更に拡大・延在して円形のシャワーヘッドを形成する棒状のグリップを含み、シャワーヘッドの一表面には細かな散水穴が配されており、グリップの下方には可撓性ホースが接続される。また、上水道の処理場にて用水を処理する過程で、水中の細菌又は微生物を除去するために塩素を加えることが常である。
【発明の概要】
【発明が解決しようとする課題】
【０００３】
しかしながら、過多な塩素は人体に有害であるものの、一般的には多くの場合、飲用水しか重視されず、沐浴面での水質にはさほど気を遣わないことから、沐浴に使用する水道水中に含まれる塩素及びその他不純物の問題には関心がなく、ましてやシャワーヘッド内部には洗浄装置がないことから、長期間使用すると、内部に水垢が堆積してしまい、ひいては細菌及び微生物が繁殖する温床となってしまう。そして使用者には見えないという状況において、この細菌が充満したシャワーで沐浴するとなると、体の健康に極めて大きな影響をもたらし、仮にろ過材料を内蔵した手持ち型吐水装置であっても、交換するには通常は複雑で、手間がかかり、そして全体交換を選ぶ場合には、資源の無駄で、環境に悪影響である。
【課題を解決するための手段】
【０００４】
本発明の目的は上記問題を解決するために、より優れた実用的な効果を備える手持ち型吐水装置を提供するものであり、主な技術、目的は、手持ち型吐水装置には、フィルタ装置が螺設されることで、フィルタ装置を交換しやすくした嵌着ホルダが設けられる。
【０００５】
本発明の上記目的に基づいて、手持ち型吐水装置を提供するものであって、第一通路を有する管体として形成されるグリップであり、グリップは頂端に円環状の嵌着ホルダが繋がっており、嵌着ホルダは内環面を有し、内環面には第一通路に連通する入水穴が設けられており、内環面の一端口には内部フランジが環設されており、その他端口には雌ねじ部分が環設されるグリップと、上方に雄ねじ部分が設けられ、雄ねじ部分の上方には上部止め縁が更に設けられる環状凹部が外周面に環設される円形体であるフィルタ装置と、を備える手持ち型吐水装置であって、更に、環状凹部下方には環状嵌着突起が環設されており、環状嵌着突起の底面は下部止め縁を有しており、環状嵌着突起の表面にはスリットが設けられるとともに、フィルタ装置の底端にはスリットに連通する複数の散水穴が配置されており、フィルタ装置は嵌着ホルダ内に組付けるが、このうち、フィルタ装置の雄ねじ部分が嵌着ホルダの雌ねじ部分に螺合して、上部止め縁は嵌着ホルダの内環面端縁に当接して、環状嵌着突起の下部止め縁は内部フランジに当接するとともに、環状凹部と嵌着ホルダの内環面との間には環状通路が形成されており、環状通路は入水穴、第一通路及びスリットに連通することで、第一通路から進入した水を散水穴から散水するように吐出させる。
【０００６】
本発明の一実施例において、フィルタ装置は収容空間を有する上蓋と下蓋とが互いに嵌合して構成され、環状凹部は上蓋の開口端に設けられており、環状嵌着突起は下蓋の開口端に環設されており、上蓋の環状凹部端縁は下蓋の環状嵌着突起内に嵌入されるとともに、収容空間内にろ過材を装着する。
【０００７】
本発明の一実施例において、上蓋と下蓋との間にはろ過網が設けられており、ろ過網は上蓋の開口端に組付けられて収容空間を閉じることで、ろ過材を収容空間内に規制する。
【０００８】
本発明の一実施例において、上、下蓋は透明なプラスチック材料製である。
【０００９】
本発明の一実施例において、グリップの一端には、第一通路及び入水穴を連通する第二通路を有するネック部分が設けられる。
【００１０】
本発明の一実施例において、雌ねじ部分に近接する内環面の端縁には嵌合溝が環設されており、嵌合溝内には第一パッキンが設けられており、上部止め縁は第一パッキン、嵌合溝に当接して、内部フランジと環状嵌着突起下部止め縁との間には第二パッキンが設けられる。
【００１１】
本発明の一実施例において、環状凹部にはプラグを装着可能な貫通穴が設けられており、貫通穴の周囲には穴縁が形成されており、プラグは嵌合リングが一体成型されたストレーナを有するように設けられており、嵌合リングは貫通穴の穴縁内に嵌設して、スリットを形成する。
【００１２】
本発明の一実施例において、穴縁は外側から内側に徐々に縮小する円錐状穴として設けられ、嵌合リングの外周縁には円錐状穴に対応する傾斜錐面が設けられる。
【００１３】
本発明の一実施例において、グリップと嵌着ホルダとが傾斜角度を有する。
【００１４】
本発明の一実施例において、グリップ底端にはジョイントが螺着される。
【００１５】
上記装置によって、フィルタ装置の機能が低減又は汚れた時には交換しやすくなり、水の品質を向上する効果を有する。しかもフィルタ装置を交換するだけでよく、プラスチック材料の廃品を減らし、環境に優しく、資源削減効果を備える。
【図面の簡単な説明】
【００１６】
【図１】本発明の立体分解図である。
【図２】本発明の組立て立体図である。
【図３】本発明のフィルタ装置の下面立体分解図である。
【図４】本発明の組付け断面図である。
【発明を実施するための形態】
【００１７】
本発明がより詳細に理解されるために、ここに好ましい実施例を挙げて、図面を合わせて、以下の通り詳細に説明する。
【００１８】
図１から図４を参照する。手持ち型吐水装置１０は、第一通路１１１を有する管体として形成されるグリップ１１であり、グリップ１１は一端にネック部分１３が設けられており、ネック部分１３内には第一通路１１１に連通する第二通路１３１を有しており、ネック部分１３には円環状の嵌着ホルダ１４が繋がっており、嵌着ホルダ１４の内環面１４１には第二通路１３１、第一通路１１１に連通する入水穴１４２が設けられており、内環面１４１の一端口には内部フランジ１４３が環設されており、その他端口には雌ねじ部分１４４が環設されるグリップ１１と、収容空間２１６を有する円形上蓋２１と、円形下蓋２５とが互いに嵌合して構成するように設けられるフィルタ装置２０と、を備えており、上蓋２１の開口端には環状凹部２１１が環設されており、環状凹部２１１上方には雄ねじ部分２１２が設けられるとともに、雄ねじ部分２１２上方には上部止め縁２１３が更に凸設され、そして下蓋２５の開口端には環状嵌着突起２５１が環設されており、環状嵌着突起２５１の底面には下部止め縁２５２を有しており、上蓋２１の環状凹部２１１の端縁は下蓋２５の環状嵌着突起２５１内に嵌着して、かつ収容空間２１６内にはろ過材２３を装着しており、上蓋２１と下蓋２５との間にはろ過網２４が設けられており、ろ過網２４は上蓋２１の開口端に組付けられて収容空間２１６を閉じることで、ろ過材２３を収容空間２１６内に規制する。環状凹部２１１にはプラグ２２を装着可能な貫通穴２１４が設けられており、貫通穴２１４の周囲には穴縁２１５が形成されており、プラグ２２は嵌合リング２２２が一体成型されたストレーナ２２３を有するように設けられており、そして穴縁２１５は外側から内側に徐々に縮小する円錐状穴として設けられ、嵌合リング２２２の外周縁には円錐状穴に対応する傾斜錐面が設けられており、嵌合リング２２２は貫通穴２１４の穴縁２１５内に嵌設して、スリットを形成するとともに、フィルタ装置２０に下蓋２５底端には、スリット２２１に連通する複数の散水穴２５３が配置されている。また、フィルタ装置２０は嵌着ホルダ１４内に組付けるが、このうち、上蓋２１の雄ねじ部分２１２が嵌着ホルダ１４の雌ねじ部分１４４に螺合して、雌ねじ部分１４４に近接する内環面１４１の端縁には嵌合溝１４５が環設されており、嵌合溝１４５内には第一パッキン１５が設けられており、上部止め縁２１３は嵌着ホルダ１４の第一パッキン１５、嵌合溝１４５に当接して、環状嵌着突起２５１の下部止め縁２５２は内部フランジ１４３に当接して、内部フランジ１４３と下部止め縁２５２との間には第二パッキン１６が設けられるとともに、環状凹部２１１と嵌着ホルダ１４の内環面１４１との間には環状通路１４６が形成されており、環状通路１４６は入水穴１４２、第一通路１１１及びスリット２２１に連通することで、第一通路１１１から進入した水を散水穴２５３から散水するように吐出させる。上記手持ち型吐水装置１０により、フィルタ装置２０は交換しやすいという効果を達成する。
【００１９】
本発明の構成を以下の詳細に説明する。図１から図４に示すように、上蓋２１、ろ過網２４及び下蓋２５はプラスチック材料製であるが、透明状として内部の汚れ、不純物を視認できるようにしてもよく、しかも高周波溶接技術により、上蓋２１、ろ過網２４及び下蓋２５を一体に結合することができる。そしてプラグ２２は穴縁２１５の円錐状穴と嵌合リング２２２の傾斜錐面とが互いに密着して位置決めされるが、その水流がプラグ２２のストレーナ２２３を流れる時、推力作用により、プラグ２２をしっかりと外れないように固定する。フィルタ装置２０を嵌着ホルダ１４に螺合した時、第一パッキン１５、第二パッキン１６はそれぞれ嵌着ホルダ１４とフィルタ装置２０の上、下方に密着して水漏れしないように確保することができる。反対に、フィルタ装置２０を交換したい時には、フィルタ装置２０を反対方向に回動させるだけで取り外すことができ、工具を一切借りることなく、交換できるという効果を達成する。
【００２０】
再度図１から図４を参照する。グリップ１１の底端にはジョイント１２が螺着されて、可撓性ホースを接続して送水源に繋ぐことができるものであって、そして送水源を開くと水流は管径が大きい第一通路１１１を経て、次に管径が小さい第二通路１３１に流れ込み水流を加圧、加速させるとともに、入水穴１４２に送り込み、水流はフィルタ装置２０の環状凹部２１１と嵌着ホルダ１４との間の環状通路１４６内に充満して、更にスリット２２１を通過して収容空間２１６内に進入するとともに、ろ過材２３を通過してろ過されて、最終的に、ろ過済みの水流はろ過網２４を通過して散水穴２５３から散水するように吐出されることによって、水中の塩素及び有害物質をろ過する効果を達成する。言及しておくべきは、環状通路１４６は３６０度周回するようになっていることから、スリット２２１を意図的に入水穴１４２に一致させる必要がなくなることで、フィルタ装置２０を嵌着ホルダ１４に螺合して組付けるのに一切螺着角度の制限をなくす上に、水流は環状通路１４６を通過してフィルタ装置２０内に流れ込むようになるということである。また、グリップ１１と嵌着ホルダ１４とに傾斜角度を設けて（図２、図４に示す）、散水穴２５３の吐水角度をより使用者のニーズに合せるようにしてもよい。
【００２１】
上記実施例は本発明を十分に説明するために挙げた好ましい実施例に過ぎず、本発明の特徴を制限するためのものではなく、本発明に関係する技術手段、創作原理を利用した再創作は、なおも本発明の等価構造の創意の範疇に含まれる。
【符号の説明】
【００２２】
１０   手持ち型吐水装置
１１   グリップ
１１１ 第一通路
１２   ジョイント
１３   ネック部分    
１３１ 第二通路
１４   嵌着ホルダ
１４１ 内環面
１４２ 入水穴
１４３ 内側フランジ
１４４ 雌ねじ部分
１４５ 嵌合溝
１４６ 環状通路
１５   第一パッキン
１６   第二パッキン
２０   フィルタ装置
２１   上蓋
２１１ 環状凹部
２１２ 雄ねじ部分
２１３ 上部止め縁
２１４ 貫通穴
２１５ 穴縁
２１６ 収容空間
２２   プラグ
２２１ スリット
２２２ 嵌合リング
２２３ ストレーナ
２３   ろ過材
２４   ろ過網
２５   下蓋
２５１ 環状嵌着突起
２５２ 下部止め縁
２５３ 散水穴
【図１】
2017209214.tif 000003
【図２】
2017209214.tif 000004
【図３】
2017209214.tif 000005
【図４】
2017209214.tif 000006